(57)【要約】【課題】携帯電話における動画の表示とＷＥＢページの表示の利便性を向上させる。【解決手段】携帯電話１の表示画面２が動画表示領域２ａとＷＥＢブラウザ表示領域２ｂに区分され、動画表示領域２ａに動画を表示させる動画表示動作とＷＥＢブラウザ表示領域２ｂにＷＥＢページを表示させるブラウザ表示動作とが連動するようにしている。【選択図】図１
2008103783.tif 000002
【特許請求の範囲】
【請求項１】
表示画面が動画表示領域とＷＥＢブラウザ表示領域に区分され、前記動画表示領域に動画を表示させる動画表示動作と前記ＷＥＢブラウザ表示領域にＷＥＢページを表示させるブラウザ表示動作とが連動することを特徴とする携帯電話。
【請求項２】
前記動画表示領域における動画表示動作と前記ＷＥＢブラウザ表示領域におけるブラウザ表示動作とがそれそれ独立して行われ、かつ、前記動画表示領域で前記ブラウザ表示動作の操作が可能であることを特徴とする請求項１に記載の携帯電話。
【請求項３】
前記動画表示領域における動画表示動作と前記ＷＥＢブラウザ表示領域におけるブラウザ表示動作とがそれそれ独立して行われ、かつ、前記ＷＥＢブラウザ表示領域で前記動画表示動作の操作が可能であることを特徴とする請求項１に記載の携帯電話。
【請求項４】
前記動画表示領域に商品紹介の動画を表示し、前記ＷＥＢブラウザ表示領域に商品購入のためのページを表示し、１つのアプリケーションにより前記動画表示領域および前記ＷＥＢブラウザ表示領域の表示が連動することを特徴とする請求項１ないし３のいずれかに記載の携帯電話。
【請求項５】
動画情報とＷＥＢページ情報を配信サーバあるいは携帯電話の内部メモリに取得しに行くステップと、前記動画情報があるときには、携帯電話の表示画面の動画表示領域に前記動画情報を表示するステップと、前記ＷＥＢページ情報があるときには、前記動画表示領域に前記動画情報を表示しながら、前記表示画面のＷＥＢブラウザ表示領域に前記ＷＥＢページ情報を表示するステップと、前記動画表示領域と前記ＷＥＢブラウザ表示領域の一方における操作に応じて前記動画表示領域と前記ＷＥＢブラウザ表示領域の他方における表示を切り換えるステップとを有することを特徴とする動画とＷＥＢブラウザの連動方法。
【請求項６】
商品紹介の動画を携帯電話の表示画面の動画表示領域に表示するステップと、前記商品紹介の動画を前記動画表示領域に表示しながら、注文の操作ボタンを含む商品ページを前記表示画面のＷＥＢブラウザ表示領域に表示するステップと、前記注文の操作ボタンが操作されたことに応じて注文ページを前記ＷＥＢブラウザ表示領域に表示するステップと、前記注文ページでの注文を確認するステップと、注文を確認した商品の発注処理を行うステップとを有することを特徴とする携帯電話による商品販売方法。
【発明の詳細な説明】
【技術分野】
【０００１】
本発明は、種々の画像を表示する表示画面を有する携帯電話、携帯電話に表示される動画とＷＥＢブラウザの連動方法および携帯電話による商品販売方法に関するものである。
【背景技術】
【０００２】
携帯電話の通信速度や性能が向上したことに加え、インターネットへの接続通信料金の定額サービスも始まったため、パーソナルコンピュータと同様に携帯電話でも、動画配信等の大容量通信を利用した配信サービスが普及し始めている。
【０００３】
具体的なサービス内容は映像番組、音楽といったコンテンツ配信等や、商品紹介・販売といった商品販売分野にも利用されてきている。
【０００４】
従来の商品販売システムでは商品紹介（アウトプット）と商品注文手続（インプット）の主に２つの処理が必要となる。従来技術ではそれぞれ別のアプリケーションで実現されていた。
【０００５】
携帯電話での具体的な従来の商品販売方法を図９のフローチャートにより説明する。ステップＳ１０１で携帯電話に搭載されている動画配信アプリケーションを起動する。ステップＳ１０２では商品選択画面を表示画面に表示する。ステップＳ１０３では商品紹介の動画配信を開始する。ステップＳ１０４で商品ページにて商品注文をユーザが選択すると、ステップＳ１０５で動画配信アプリケーションを自動的に終了し、ステップＳ１０６へ進む。ステップＳ１０４で商品注文がなければ、ステップＳ１０２に戻り、商品紹介を繰り返す。
【０００６】
ステップＳ１０６ではＷＥＢブラウザを起動する。ステップＳ１０７では注文ページを表示する。ステップＳ１０８では注文ページでの注文を確認し、商品購入があることを判別する。商品購入がキャンセルされた場合には、ステップＳ１０１に戻り、動画配信アプリケーションを再起動する。ステップＳ１０８で注文を確認すると、ステップＳ１０９に進んで、発注処理を行う。
【０００７】
ステップＳ１１０では他の商品注文があるかどうかを判別し、ない場合にはステップＳ１１１に進んで、ＷＥＢブラウザを終了する。ある場合にはＷＥＢブラウザを終了して、ステップＳ１０１に戻り、動画配信アプリケーションを再起動する。
【０００８】
また、配信される動画に関連するホームページのアドレスをその動画に埋め込み、その動画の配信中にＷＥＢブラウザを起動して当該ホームページを表示する技術が特開２００２−２４７２０６号公報（特許文献１）の請求項６などに開示されている。この開示技術は、Ｊａｖａ（登録商標）搭載の携帯電話に動画配信アプリケーションをダウンロードさせて、動画配信を行う。ＷＥＢブラウザとの連動は「ブラウザ起動」と呼ばれる、Ｊａｖａ搭載の携帯電話で標準の仕様を利用して行う。具体的には、動画配信アプリケーションから携帯電話に内蔵されたＷＥＢブラウザを起動させて、該当するホームページへ接続を行う。
【特許文献１】特開２００２−２４７２０６号公報
【発明の開示】
【発明が解決しようとする課題】
【０００９】
図９に示される従来の商品販売方法に関しては、携帯電話の機能制限により、動画配信等による商品紹介から注文手続までつなげるシームレスな手法がなかった。つまり、ＷＥＢブラウザを起動した時点で動画配信アプリケーションは終了してしまう。
【００１０】
また、特許文献１の開示技術でも、図９と同様に、ＷＥＢブラウザを起動した時点で呼び出し元の動画配信アプリケーションは終了してしまう。このように従来のシステムでは携帯電話の制限により片方のアプリケーションのみの起動しかできなかった。
【００１１】
（本発明の目的）
本発明の目的は、携帯電話における動画の表示とＷＥＢページの表示の利便性を向上させることのできる携帯電話、動画とＷＥＢブラウザの連動方法および携帯電話による商品販売方法を提供することである。
【課題を解決するための手段】
【００１２】
上記目的を達成するために、本発明は、表示画面が動画表示領域とＷＥＢブラウザ表示領域に区分され、前記動画表示領域に動画を表示させる動画表示動作と前記ＷＥＢブラウザ表示領域にＷＥＢページを表示させるブラウザ表示動作とが連動する携帯電話とするものである。
【００１３】
また、本発明は、動画情報とＷＥＢページ情報を配信サーバあるいは携帯電話の内部メモリに取得しに行くステップと、前記動画情報があるときには、携帯電話の表示画面の動画表示領域に前記動画情報を表示するステップと、前記ＷＥＢページ情報があるときには、前記動画表示領域に前記動画情報を表示しながら、前記表示画面のＷＥＢブラウザ表示領域に前記ＷＥＢページ情報を表示するステップと、前記動画表示領域と前記ＷＥＢブラウザ表示領域の一方における操作に応じて前記動画表示領域と前記ＷＥＢブラウザ表示領域の他方における表示を切り換えるステップとを有する動画とＷＥＢブラウザの連動方法とするものである。
【００１４】
さらに、本発明は、商品紹介の動画を携帯電話の表示画面の動画表示領域に表示するステップと、前記商品紹介の動画を前記動画表示領域に表示しながら、注文の操作ボタンを含む商品ページを前記表示画面のＷＥＢブラウザ表示領域に表示するステップと、前記注文の操作ボタンが操作されたことに応じて注文ページを前記ＷＥＢブラウザ表示領域に表示するステップと、前記注文ページでの注文を確認するステップと、注文を確認した商品の発注処理を行うステップとを有する携帯電話による商品販売方法とするものである。
【発明の効果】
【００１５】
本発明によれば、携帯電話における動画の表示とＷＥＢページの表示の利便性を向上させることができる。
【発明を実施するための最良の形態】
【００１６】
本発明を実施するための最良の形態は後述する実施例に記載の通りである。
【実施例】
【００１７】
図１（ａ）は本発明の実施例であるＪａｖａ搭載の携帯電話を示している。携帯電話１の表示画面２は、動画表示領域２ａとＷＥＢブラウザ表示領域２ｂに区分されている。３は入力キー、４はアンテナである。Ｊａｖａによる動画ブラウザ連動アプリケーションが携帯電話１にダウンロードされている場合には、動画表示領域２ａに動画を表示させる動画表示動作とＷＥＢブラウザ表示領域２ｂにＷＥＢページを表示させるブラウザ表示動作とは、図1（ｂ）に示されるように、それぞれ独立して動作しながら、相互に通信可能になっていて、シームレスに連動する。これらの動作は携帯電話１に具備されるマイクロコンピュータ（不図示）により制御される。
【００１８】
動画表示領域２ａとは配信された動画の表示を行うところである。ＷＥＢブラウザ表示領域２ｂとはＷＥＢページを表示するところであり、一般のＷＥＢブラウザと同様に、表示をスクロールして閲覧したり、サーバへの情報の送受信を行ったりするインターフェイスや機能をもっている。
【００１９】
図２は携帯電話１が接続されるネットワークの構成を示す図である。
【００２０】
図２において、携帯電話１は携帯電話網５、交換機６、ルータ７、インターネット８、ルータ９を経て配信サーバ１０に接続されている。配信サーバ１０は、携帯電話１からの要求に応じてアプリケーションのダウンロードやクライアントが登録した情報（動画、ＷＥＢページなど）の配信を行う。１１は配信される情報を作成するクライアントのコンピュータである。コンピュータ１１はインターネット８およびルータ９を介して配信サーバ１０に接続される。クライアントは、コンピュータ１１にてＷＥＢページと動画をオーサリング（合成・編集）して配信データを作成し、携帯電話に配信できるようにコンバートをかける。そして、配信サーバ１０へインターネット８経由で、作成された配信データをアップロードする。
【００２１】
配信サーバ１０はアプリケーションサーバの機能を持っており、動画ブラウザ連動アプリケーションをも用意している。一般ユーザは、動画とＷＥＢページが連動する配信データを視聴するには、まず携帯電話１に動画ブラウザ連動アプリケーションをダウンロードする必要があり、ダウンロードしていない場合、配信サーバ１０にアクセスして最初にダウンロードする必要がある。一度動画ブラウザ連動アプリケーションをダウンロードした後は、一般ユーザは配信データを配信サーバ１０から取得し、視聴することができる。
【００２２】
配信サーバ１０は、携帯電話１のリクエストに対して適切に情報配信を行い、また、携帯電話１が発注処理を行った場合等にはその注文情報の受信や処理も行う。
【００２３】
図３は動画ブラウザ連動アプリケーションの初期起動動作を示すフローチャートである。ステップＳ１で動画ブラウザ連動アプリケーションが起動されると、ステップＳ２にて動画表示領域２ａに表示するトップページの動画情報とＷＥＢブラウザ表示領域２ｂに表示するＷＥＢページ情報を配信サーバ１０に取得しに行く。配信サーバ１０はステップＳ３でトップページ情報を携帯電話１に送信する。取得が完了した後、ステップＳ４で動画情報があることを判別すると、ステップＳ５にて動画表示領域２ａに配信された動画を表示する。ステップＳ６でＷＥＢページ情報があることを判別すると、ステップＳ７にてＷＥＢブラウザ表示領域２ｂに配信されたＷＥＢページを表示する。そして、ステップＳ８にて終了する。
【００２４】
上記のように、動画表示領域２ａとＷＥＢブラウザ表示領域２ｂのそれぞれには該当する情報が表示される。動画表示領域２ａとＷＥＢブラウザ表示領域２ｂの画面上においては相互に操作することが可能である。まず、ＷＥＢブラウザ表示領域２ｂに表示されているＷＥＢページから動画表示領域２ａの動画を操作する（切り換える）ことを説明する。
【００２５】
図４はＷＥＢページから番組（動画）を切り換える例を示す。動画表示領域２ａでは番組１が再生中であり、ＷＥＢブラウザ表示領域２ｂでは「番組１（再生中）」が表示されるとともに、「番組２」、「番組３」がクリック操作可能に表示される。この状態で、「番組２」がクリック操作されると、配信サーバ１０に番組２を取得しに行く。番組２の取得処理中に番組３がクリック操作により選択されると、番組２の取得をキャンセルして、番組３を取得しに行く。番組２の取得処理中にも番組１を再生している。番組２の再生中は、ＷＥＢブラウザ表示領域の表示は、番組２（再生中）と番組１、番組３のクリック操作可能の表示に更新される。
【００２６】
図５は図４の動画切換動作を具体的に示すフローチャートである。ステップＳ１１でＷＥＢブラウザ表示領域２ｂにてユーザの見たい動画（例えば番組２）がクリック操作により選択されると、動作を開始する。ステップＳ１２にて配信対象の動画（番組２）を配信サーバ１０に取得しに行く。ステップＳ１３にて配信サーバ１０は配信対象の動画（番組２）を携帯電話１に送信する。ステップＳ１４にて配信動画終了通知を配信サーバ１０から受信すると、ステップＳ１５でＷＥＢブラウザ表示領域２ｂの表示を図４に示されるように切り換える。ステップＳ１６では対象動画（１フレーム）を初期化（メインメモリ上のイメージデータをグラフィックメモリに転送できるように加工処理）し、経路１を通ってステップＳ１８で動画再生が完了したかどうかを判別し、動画再生完了までこのルーチンを繰り返して動画表示を行う。
【００２７】
また、並行処理（マルチスレッド）で経路１の処理を実行しながら、経路２を経てステップＳ１９にてＷＥＢブラウザ表示領域２ｂでの動画切換イベント（クリック操作など）が発生したかどうかを監視している。動画切換イベントが発生すると、ステップＳ１２に戻り、動画を切り換える。動画切換イベントが発生しないときには、ステップＳ１８に進む。ステップＳ１８で動画再生が完了したことを判別すると、ステップＳ２０で図５の動作を終了する。
【００２８】
このように、動画表示領域２ａでの動画表示動作とＷＥＢブラウザ表示領域２ｂでのブラウザ表示動作が相互に通信し合いながら独立並行して動くために、図４のような連動動作が可能となる。このことは従来技術のような動画配信とＷＥＢブラウザが完全に独立しているか、もしくは片方に組み込まれているシステムでは実現が難しい処理である。
【００２９】
次に、動画表示領域２ａの動画からＷＥＢブラウザ表示領域２ｂに表示されているＷＥＢページを操作（更新）することを説明する。
【００３０】
図６は商品販売に使用される例を示す。この例では配信動画のシーン、時間、ボタン操作によってＷＥＢページが更新される。これを実現するには、動画の配信（フレーム）時系列に合わせてページ更新命令を配信動画データに組み込むことで実現する。ページ更新命令により配信サーバ１０もしくは携帯電話１の内部メモリの更新情報を取得して、ページ更新を行う。図６（ａ）では動画表示領域２ａに商品紹介の動画を表示し、ＷＥＢブラウザ表示領域２ｂに商品名、金額などの商品説明文と注文の操作ボタン２ｃを表示する。      
【００３１】
次に、図６（ｂ）ではＷＥＢブラウザ表示領域２ｂに図６（ａ）とは異なる商品説明文と注文の操作ボタン領域２ｃを表示する。注文の操作ボタン２ｃが押されると、図６（ｃ）に示されるように、ＷＥＢブラウザ表示領域２ｂに注文フォーム２ｄと注文完了の操作ボタン２ｅを表示する。注文フォーム２ｄに氏名、住所などの必要事項が記入され、注文完了の操作ボタン２ｅが押されると、入力された情報を配信サーバ１０に送信する。図６（ｄ）では動画表示領域２ａに注文完了の動画を表示し、ＷＥＢブラウザ表示領域２ｂに注文完了の文字を表示する。
【００３２】
図７はＷＥＢページの更新動作を具体的に示すフローチャートである。ステップＳ２１にて図６のＷＥＢページ更新動作を開始すると、ステップＳ２２にて動画表示領域２ａの動画シーン、時間、操作ボタン２ｃまたは２ｅの操作に応じてＷＥＢページの切換の必要性を判別する。必要性ありを判別すると、ステップＳ２３で更新対象のＷＥＢページが携帯電話１の内部メモリに格納されているものかどうかを判別する。内部メモリに格納されていれば、ステップＳ２４にて更新対象のＷＥＢページを内部メモリから取得する。内部メモリに格納されていなければ、ステップＳ２５にて更新対象のＷＥＢページを配信サーバ１０に取得しに行く。ステップＳ２６にて配信サーバ１０は更新対象のＷＥＢページを携帯電話１に送信する。ステップＳ２７ではＷＥＢページを更新する。そして、ステップＳ２８にてＷＥＢページの更新動作を終了する。
【００３３】
従来技術のようにアプリケーションの再起動の必要はなく、ＷＥＢページの更新表示が可能となる。
【００３４】
図８は、本実施例を携帯電話１での商品販売方法に適用した、商品紹介（アウトプット）と商品注文手続（インプット）とを１つの動画ブラウザ連動アプリケーションで行う動作を示すフローチャートである。図８では、一連の処理で、アプリケーションの再起動の必要がなく、連動も簡単に行える。
【００３５】
ステップＳ３１では動画ブラウザ連動アプリケーションを起動する。ステップＳ３２では商品選択画面を表示する。ステップＳ３３では商品紹介の動画配信を開始する。これにより、動画表示領域２ａに商品紹介の動画を表示し、同時にＷＥＢブラウザ表示領域２ｂに図６（ａ）や（ｂ）に示されるような商品ページを表示する。ステップＳ３４で商品注文をユーザが選択したことを判別すると、ステップＳ３５でＷＥＢブラウザ表示領域２ｂに図６（ｃ）に示されるような注文ページを表示する。ステップＳ３４で商品注文がなければ、ステップＳ３２に戻り、商品紹介を繰り返す。
【００３６】
ステップＳ３６では注文ページでの注文を確認し、商品購入があることを判別する。商品購入がキャンセルされた場合には、ステップＳ３２に戻る。ステップＳ３６で注文を確認すると、ステップＳ３７に進んで、発注処理を行う。ステップＳ３８では他の商品注文があるかどうかを判別し、ある場合にはステップＳ３２に戻る。ない場合にはステップＳ３９でアプリケーションを終了する。
【図面の簡単な説明】
【００３７】
【図１】本発明の実施例であるＪａｖａ搭載の携帯電話の表示画面および表示動作の特徴を示す図である。
【図２】本発明の実施例である携帯電話が接続されるネットワークの構成を示す図である。
【図３】本発明の実施例に係る動画ブラウザ連動アプリケーションの初期起動動作を示すフローチャートである。
【図４】本発明の実施例においてＷＥＢページから番組（動画）を切り換える例を示す図である。
【図５】図４の動画切換動作を具体的に示すフローチャートである。
【図６】本発明の実施例において商品販売に使用される例を示す図である。
【図７】図６のＷＥＢページの更新動作を具体的に示すフローチャートである。
【図８】本発明の実施例において商品紹介と商品注文手続とを１つの動画ブラウザ連動アプリケーションで行う動作を示すフローチャートである。
【図９】携帯電話での従来の商品販売方法を示すフローチャートである。
【符号の説明】
【００３８】
１    携帯電話
２    表示画面
２ａ  動画表示領域
２ｂ  ＷＥＢブラウザ表示領域
２ｃ  注文の操作ボタン
２ｄ  注文フォーム
２ｅ  注文完了の操作ボタン
５    携帯電話網
８    インターネット
９    配信サーバ
１１  クライアントのコンピュータ
【図１】
2008103783.tif 000003
【図２】
2008103783.tif 000004
【図３】
2008103783.tif 000005
【図４】
2008103783.tif 000006
【図５】
2008103783.tif 000007
【図６】
2008103783.tif 000008
【図７】
2008103783.tif 000009
【図８】
2008103783.tif 000010
【図９】
2008103783.tif 000011